(57)【要約】【解決手段】盗難防止アセンブリは、ベースと、アラーム・シグナリング・デバイスとを備え、アラーム・シグナリング・デバイスは、物品を梱包するパッケージからデバイスを外そうとすると、またはパッケージから物品を外そうとするとアラームをシグナリングする。ベースは、物品を梱包するパッケージ上に形成される。アラーム・シグナリング・デバイスは、ベースへ取り付けられる。前記デバイスは、前記物品と相互に作用するための検出器であり、かつ、前記物品と効率的に通信するための該検出器を備える。前期検出器は、前記デバイスと前期物品との間の無認可距離を検出するためのものである。無認可の距離が検出されると、デバイスは、盗難が行われようとしていることを示すアラームをシグナリングする。デバイスは、パッケージへ縛りつけられるストラップを受け入れるためのソケットも含む場合がある。【選択図】図１
2016511896.tif 000002
【特許請求の範囲】
【請求項１】
盗難防止アセンブリであって、
物品を梱包するためのパッケージ上に形成されるベースと、
前記ベースへ取り付けられるアラーム・シグナリング・デバイスであって、前記デバイスと前記物品との間の無認可距離を検出するため、前記物品と相互に作用し、前記物品と効率的に通信するための検出器を備える前記デバイスと、
を備え、
前記無認可距離が検出されると、前記デバイスは、盗難が行われようとしていることを示すアラームをシグナリングする、盗難防止アセンブリ。
【請求項２】
前記ベースは、内部で前記物品を曝露するための開口を含み、これにより、前記検出器と前記物品との間に効率的な通信が提供される、請求項１に記載の盗難防止アセンブリ。
【請求項３】
前記物品および前記検出器は、前記ベースによって画定される接合部で相互に作用し、前記ベースは、前記接合部に窓を含む、請求項１に記載の盗難防止アセンブリ。
【請求項４】
前記窓は、光を通過させるための半透明材料を備える、請求項３に記載の盗難防止アセンブリ。
【請求項５】
前記パッケージ上に形成される前記ベースは、前記パッケージの外面エリアを備える、請求項１から請求項４のいずれか一項に記載の請求項に記載の盗難防止アセンブリ。
【請求項６】
前記パッケージ上に形成される前記ベースは、中に前記アラーム・シグナリング・デバイスを入れ子状に重ね入れるための窪んだパッケージ部分を備える、請求項１から請求項４のいずれか一項に記載の請求項に記載の盗難防止アセンブリ。
【請求項７】
前記パッケージ上に形成される前記ベースは、前記パッケージへ取り付けられる追加エレメントを備える、請求項１から請求項４のいずれか一項に記載の請求項に記載の盗難防止アセンブリ。
【請求項８】
前記パッケージ上に形成される前記ベースは、前記パッケージから突き出す、前記アラーム・シグナリング・デバイスを受け入れるためのエレメントを備える、請求項１から請求項４のいずれか一項に記載の盗難防止アセンブリ。
【請求項９】
前記検出器は、前記開口を介して前記物品に係合する可動ピン部材を備える、請求項２および請求項５から請求項８のいずれか一項に記載の盗難防止アセンブリ。
【請求項１０】
前記検出器は、前記開口を介して前記物品に係合する可動ワイヤ部材を備える、請求項２および請求項５から請求項８のいずれか一項に記載の盗難防止アセンブリ。
【請求項１１】
前記検出器は、光捕捉エレメントを備える、請求項１から請求項８のいずれか一項に記載の盗難防止アセンブリ。
【請求項１２】
前記アラーム・シグナリング・デバイス、前記物品および前記パッケージは、前記アラーム・シグナリング・デバイスと前記物品との間に認可された距離が存在する場合に、前記光捕捉エレメントによる外光の捕捉を阻止することに備える、請求項１０に記載の盗難防止アセンブリ。
【請求項１３】
前記光捕捉エレメントは、前記アラーム・シグナリング・デバイスと前記物品との間に無認可の距離が存在する場合に、光を捕捉する、請求項１０または請求項１１のいずれかに記載の盗難防止アセンブリ。
【請求項１４】
前記光捕捉エレメントは、前記デバイスと前記物品との間の光の状態の改質を検出するように構成される、請求項１１に記載の盗難防止アセンブリ。
【請求項１５】
前記検出器は、前記デバイスと前記物品との間の距離を決定するための赤外線エミッタを備える、請求項１から請求項８のいずれか一項に記載の盗難防止アセンブリ。
【請求項１６】
前記検出器は、動き検出器を備える、請求項１から請求項８のいずれか一項に記載の盗難防止アセンブリ。
【請求項１７】
前記検出器は、画像捕捉デバイスを備える、請求項１から請求項８のいずれか一項に記載の盗難防止アセンブリ。
【請求項１８】
盗難防止キットであって、
内部に物品を梱包するための、ベースを画定する外面を備えるパッケージと、
前記ベースへ取り付けられるアラーム・シグナリング・デバイスであって、前記デバイスと前記物品との間の無認可距離を検出するために、前記物品と相互に作用し、前記物品と効率的に通信するための検出器を備える前記デバイスと、
を備え、
前記無認可距離が検出されると、前記デバイスは、盗難が行われようとしていることを示すアラームをシグナリングする、盗難防止キット。
【請求項１９】
前記ベースは、内部で前記物品を曝露するための開口を含み、これにより、前記検出器と前記物品との間に効率的な通信が提供される、請求項１８に記載の盗難防止キット。
【請求項２０】
前記物品および前記検出器は、前記ベースによって画定される接合部で相互に作用し、前記ベースは、前記接合部に窓を含む、請求項１９に記載の盗難防止キット。
【請求項２１】
前記窓は、光を通過させるための半透明材料を備える、請求項２０に記載の盗難防止キット。
【請求項２２】
前記パッケージ上に形成される前記ベースは、前記パッケージの外面エリアを備える、請求項１８から請求項２１のいずれか一項に記載の盗難防止キット。
【請求項２３】
前記パッケージ上に形成される前記ベースは、中に前記アラーム・シグナリング・デバイスを入れ子状に重ね入れるための窪んだパッケージ部分を備える、請求項１８から請求項２１のいずれか一項に記載の盗難防止キット。
【請求項２４】
前記パッケージ上に形成される前記ベースは、前記パッケージへ取り付けられる追加エレメントを備える、請求項１８から請求項２１のいずれか一項に記載の盗難防止キット。
【請求項２５】
前記パッケージ上に形成される前記ベースは、前記パッケージから突き出す、前記アラーム・シグナリング・デバイスを受け入れるためのエレメントを備える、請求項１８から請求項２１のいずれか一項に記載の盗難防止キット。
【請求項２６】
前記検出器は、前記開口を介して前記物品に係合する可動ピン部材を備える、請求項１９および請求項２２から請求項２５のいずれか一項に記載の盗難防止キット。
【請求項２７】
前記検出器は、前記開口を介して前記物品に係合する可動ワイヤ部材を備える、請求項１９および請求項２２から請求項２５のいずれか一項に記載の盗難防止キット。
【請求項２８】
前記検出器は、光捕捉エレメントを備える、請求項１８から請求項２５のいずれか一項に記載の盗難防止キット。
【請求項２９】
前記アラーム・シグナリング・デバイス、前記物品および前記パッケージは、前記アラーム・シグナリング・デバイスと前記物品との間に認可された距離が存在する場合に、前記光捕捉エレメントによる外光の捕捉を阻止することに備える、請求項２８に記載の盗難防止キット。
【請求項３０】
前記光捕捉エレメントは、前記アラーム・シグナリング・デバイスと前記物品との間に無認可の距離が存在する場合に、光を捕捉する、請求項２８または請求項２９のいずれかに記載の盗難防止キット。
【請求項３１】
前記光捕捉エレメントは、前記デバイスと前記物品との間の光の状態の改質を検出するように構成される、請求項２８に記載の盗難防止キット。
【請求項３２】
前記検出器は、前記デバイスと前記物品との間の距離を決定するための赤外線エミッタ／検出器を備える、請求項１８から請求項２５のいずれか一項に記載の盗難防止キット。
【請求項３３】
前記検出器は、動き検出器を備える、請求項１８から請求項２５のいずれか一項に記載の盗難防止キット。
【請求項３４】
前記検出器は、画像捕捉デバイスを備える、請求項１８から請求項２５のいずれか一項に記載の盗難防止キット。
【請求項３５】
内部に物品を梱包するためのパッケージであって、
前記パッケージの外面上に形成される、アラーム・シグナリング・デバイスを受入れるためのものであり、前記デバイスの外壁と結合するための内壁を備えるベース構造体と、
前記ベースのフロア内に形成される、前記パッケージ内部で前記物品を曝露しかつ前記デバイスと前記物品とを直に係合させるための開口と、
を備え、
前記デバイスが前記物品から無認可で離脱すると、前記デバイスは、盗難が行われようとしていることを示すアラームをシグナリングする、パッケージ。
【請求項３６】
前記パッケージ上に形成される前記ベースは、中に前記アラーム・シグナリング・デバイスを入れ子状に重ね入れるための窪んだパッケージ部分を備える、請求項３５に記載のパッケージ。
【請求項３７】
前記パッケージ上に形成される前記ベースは、前記パッケージへ取り付けられる追加エレメントを備える、請求項３５に記載のパッケージ。
【請求項３８】
前記パッケージ上に形成される前記ベースは、前記パッケージから突き出す、前記アラーム・シグナリング・デバイスを受け入れるためのエレメントを備える、請求項３５に記載のパッケージ。
【請求項３９】
前記デバイスは、前記開口を介して前記物品に係合する可動ピン部材を備える、請求項３５から請求項３８のいずれか一項に記載のパッケージ。
【請求項４０】
前記デバイスは、前記物品に係合する光捕捉エレメントを備える、請求項３５から請求項３８のいずれか一項に記載のパッケージ。
【請求項４１】
前記アラーム・シグナリング・デバイス、前記物品および前記パッケージは、前記アラーム・シグナリング・デバイスと前記物品との間に係合が存在する場合に、前記光捕捉エレメントによる外光の捕捉を阻止することに備える、請求項４０に記載のパッケージ。
【請求項４２】
前記光捕捉エレメントは、前記アラーム・シグナリング・デバイスと前記物品との間に無認可の離脱が存在する場合に、光を捕捉する、請求項４０または請求項４１のいずれかに記載のパッケージ。
【請求項４３】
前記光捕捉エレメントは、前記デバイスと前記物品との間の光の状態の改質を検出するように構成される、請求項４０に記載のパッケージ。
【請求項４４】
前記検出器は、前記デバイスと前記物品との間の距離を決定するための赤外線エミッタを備える、請求項３５から請求項３８のいずれか一項に記載のパッケージ。
【請求項４５】
前記検出器は、動き検出器を備える、請求項３５から請求項３８のいずれか一項に記載のパッケージ。
【請求項４６】
前記検出器は、画像捕捉デバイスを備える、請求項３５から請求項３８のいずれか一項に記載のパッケージ。
【請求項４７】
内部に物品を梱包するためのパッケージであって、
前記パッケージの外面上に形成される、アラーム・シグナリング・デバイスを受入れるためのものであり、前記デバイスの外壁と結合するための内壁を備えるベース構造体と、
前記ベースのフロア内に形成される、前記パッケージ内部の前記物品と前記ベースへ取り付けられた際の前記デバイスとの距離が無認可である場合に光を通過させる窓と、
を備える、パッケージ。
【請求項４８】
前記窓は、光を通過させるための半透明材料を備える、請求項４７に記載のパッケージ。
【請求項４９】
前記パッケージ上に形成される前記ベースは、中に前記アラーム・シグナリング・デバイスを入れ子状に重ね入れるための窪んだパッケージ部分を備える、請求項４７または請求項４８のいずれかに記載のパッケージ。
【請求項５０】
前記パッケージ上に形成される前記ベースは、前記パッケージへ取り付けられる追加エレメントを備える、請求項４７または請求項４８のいずれかに記載のパッケージ。
【請求項５１】
前記パッケージ上に形成される前記ベースは、前記パッケージから突き出す、前記アラーム・シグナリング・デバイスを受け入れるためのエレメントを備える、請求項４７または請求項４８のいずれかに記載のパッケージ。
【請求項５２】
前記デバイスは、光捕捉エレメントを備える、請求項４７から請求項５１のいずれか一項に記載のパッケージ。
【請求項５３】
前記アラーム・シグナリング・デバイス、前記物品および前記パッケージは、前記アラーム・シグナリング・デバイスと前記物品との間に認可された距離が存在する場合に、前記光捕捉エレメントによる外光の捕捉を阻止することに備える、請求項５２に記載のパッケージ。
【請求項５４】
前記光捕捉エレメントは、前記アラーム・シグナリング・デバイスと前記物品との間に無認可の距離が存在する場合に、光を捕捉する、請求項５２または請求項５９のいずれかに記載のパッケージ。
【請求項５５】
前記光捕捉エレメントは、前記デバイスと前記物品との間の光の状態の改質を検出するように構成される、請求項５２に記載のパッケージ。
【請求項５６】
前記検出器は、前記デバイスと前記物品との間の距離を決定するための赤外線エミッタを備える、請求項４７から請求項５１のいずれか一項に記載のパッケージ。
【請求項５７】
前記検出器は、動き検出器を備える、請求項４７から請求項５１のいずれか一項に記載のパッケージ。
【請求項５８】
前記検出器は、画像捕捉デバイスを備える、請求項４７から請求項５１のいずれか一項に記載のパッケージ。
【請求項５９】
前記パッケージは、予め形成されたパッケージング材料を備える、請求項４７から請求項５８のいずれか一項に記載のパッケージ。
【請求項６０】
前記予め形成されたパッケージング材料は、不透明である、請求項５９に記載のパッケージ。
【請求項６１】
物品を梱包する方法であって、
中に前記物品を梱包するための材料を提供することと、
前記材料上に、中の前記物品が見えるようにするための半透明部分を設けることと、
前記材料の残りの部分を曇らせて、外光の通過を阻止することと、
前記材料の前記残りの曇った部分に、外光を通過させるためのエリアを設けることと、
前記エリアにアラーム・シグナリング・デバイスを取り付けて、外光の通過を阻止すること
を含み、
前記アラーム・シグナリング・デバイスは、前記物品と、前記アラーム・シグナリング・デバイスとを相互に作用させるための光捕捉エレメントを備えるものであり、
前記物品および前記材料は、前記アラーム・シグナリング・デバイスと前記物品との間に認可された距離が存在する場合に、前記光捕捉エレメントによる外光の捕捉を阻止するものであり、
前記光捕捉エレメントは、前記アラーム・シグナリング・デバイスと前記物品との間に無認可の距離が存在する場合に、光を捕捉する、方法。
【請求項６２】
前記エリアは、窓を備える、請求項６１に記載の方法。
【請求項６３】
前記窓は、半透明材料を備える、請求項６２に記載の方法。
【請求項６４】
前記エリアは、開口を備える、請求項６１に記載の方法。
【請求項６５】
物品を梱包する方法であって、
中に前記物品を梱包するための材料を提供することと、
前記材料の外面上にベース構造体を形成することであって、
前記ベース構造体は、アラーム・シグナリング・デバイスを受け入れるものであり、かつ、前記デバイスの外壁と結合するための内壁を含むものであり、
前記ベースのフロア内に、パッケージ内で前記物品を曝露し、かつ前記物品と係合するデバイスを提供するための開口を設けることと、
を含む、方法。
【請求項６６】
物品を梱包する方法であって、
中に前記物品を梱包するための材料を提供することと、
前記材料の外面上にベース構造体を形成することであって、
前記ベース構造体は、アラーム・シグナリング・デバイスを受け入れるために提供されるものであり、かつ、前記デバイスの外壁と結合するための内壁を備えるものであり、
前記ベースのフロア内に、前記パッケージ内部の前記物品と前記ベースへ取り付けられた際の前記デバイスとの距離が無認可である場合に光を通過させるための窓を設けることと、
を含む、方法。
【請求項６７】
盗難防止用キットであって、
物品を梱包するパッケージの表面に開口を形成するための切欠きエレメントと、
前記パッケージへ取り付けられるためのアラーム・シグナリング・デバイスであって、前記デバイスと前記物品との間の無認可距離を検出するため、前記開口を介して前記物品に効率的に係合するための検出器を備えるデバイスと、
を備え、
前記無認可距離が検出されると、前記デバイスは、盗難が行われようとしていることを示すアラームをシグナリングする、盗難防止用キット。
【請求項６８】
盗難防止用キットであって、
中で物品を曝露する開口を提供するために選択的に取り除かれるための微かな切れ目を有する、前記物品を梱包するためのパッケージと、
前記パッケージへ取り付けられるためのアラーム・シグナリング・デバイスであって、前記デバイスと前記物品との間の無認可距離を検出するため、前記開口を介して前記物品に効率的に係合するための検出器を備える該デバイスと、
を備え、
前記無認可距離が検出されると、前記デバイスは、盗難が行われようとしていることを示すアラームをシグナリングする、盗難防止用キット。
【請求項６９】
盗難防止用キットであって、
中に物品を有するパッケージ上へ取り付けられるための、かつソケットを備えるデバイスと、
前記ソケット内に位置合わせされ、かつ前記パッケージの周りに縛られるための少なくとも１つのストラップと、
を備える、盗難防止用キット。
【請求項７０】
前記デバイスを受け入れるためのベースを有するパッケージをさらに備える、請求項６９に記載のキット。
【請求項７１】
前記デバイスを受け入れるための空隙を有するパッケージをさらに備える、請求項６９に記載のキット。
【発明の詳細な説明】
【技術分野】
【０００１】
［関連出願の相互参照］
本出願は、２０１３年２月２０日に提出された米国仮出願第６１／７６６，８５０号に対する優先権を主張するものであり、前記出願は、参照によりその全体が本明細書に組み込まれる。
【０００２】
［技術分野］
本開示は、小売り販売店における盗難の防止に関する。より具体的には、但し排他的ではなく、本開示は、万引きを防止するためのデバイスおよびパッケージに関する。
【背景技術】
【０００３】
小売業者らは、万引きがその最終的な損益に重大な影響を与え、多大な在庫量が万引きをする者によって失われると報告している。小売店における小売り盗難被害は、一日当たり何百万ドルにも及ぶ。小売業者は、盗難を防止しかつ商品が盗まれようとしている場合に取り戻せるような方法を模索している。
【０００４】
商品のパッケージおよびボックス上に取り付けられるタグには、様々なものが存在する。これらのタグは、店の周波数放射ゲートを通過すると警報がシグナリングされる共振エレメントを含む。これらのタグは、ＥＡＳ（電子商品監視）技術を基礎とする。それでも、泥棒は、接着剤でボックス上に貼られている、またはパッケージ内部にソースタグ付けされるこのようなタグを、商品を取り出すために単にボックスおよびパッケージを開くことによって外す方法を発見している。ボックスの外側に、または内側の実際の製品上に貼り付けられたＥＡＳタグを取り外すことは、警報を鳴らすことなく容易に行える。これは、ＲＦＩＤ−ＥＡＳタグ、即ち小売りアプリケーションで人気を得つつあるスマートタグでも同じであろう。
【０００５】
また、パッケージ内部の従来的なＥＡＳタグをだめにすることも、レジ係が販売時点でタグを非活性化するために探す手助けとなるように、これらのタグがパッケージ内部のバーコードとは反対側に配置される場合が多いことを知っているプロにとっては、容易になっている。非活性化ユニットには、タグを非活性化しかつタグが非活性化されていることを検証する手持ち式のものが存在する。
【０００６】
したがって、その後の改良には、非活性化ができないタグを含むボックスまたはパッケージに巻き付くワイヤを有するタグが含まれる。これらの既知のシステムの欠点は、このようなデバイスのパッケージ上への取付けに関連づけられる労力および時間的なコストにある。製品完成までの時間が大幅に遅れると、コストは大幅に増大する。別の欠点は、巻き付けはパッケージを保護するが、製品自体に直接当たる可能性も与えることにある。別の欠点は、デバイスの位置合わせにあまり柔軟性がなく、かつワイヤは、パッケージングのアートワークおよびプレゼンテーションのマーケティングアピールを減退させることから、商品のプレゼンテーションに影響が生じることにある。また、ボックスが積み上げられる場合、突き出した巻き付けによってボックスが互いに上下で均等に重なり合うことが妨げられ、プレゼンテーションが消費者にとって魅力のないものになる（窪んだ波形のパッケージ空隙内へ置かれるデバイスのイメージ）。別の欠点は、このワイヤが、保護が望まれる所定のパッケージ、ボックスに十分には巻き付かないことにある。時間のかかる別の欠点として、従業員は、ワイヤを使用後に巻き直さないことが多く、ワイヤがもつれる。これにより、（もつれを解くために）従業員に時間を割かせて人件費が増す。さらに、巻き付けのもつれを解くことは、困難かつ厄介なプロセスであって、従業員はその試みを止める場合が多いことから、最終的には、保護されない商品が生じる。
【０００７】
タグ公害（tag pollution）は、業界の課題であって、ソースタグ付けされる商品によって生じるが、最後には、タグを非活性化する機器を持たない店に行き着く。最後には、顧客は去り、システムを始動させる他の店へ無意識に移っていく。従業員は、これらのタグ公害関連のアラームに直面することが多く、その結果、ほとんどの場合、従業員は、アラームを重大なものと考えなくなる。
【０００８】
小売業者は、厄介で時間がかかりかつ安全面が限定的といった側面のない、ワイヤおよび他の利用可能な製品の高レベルの抑止手段を希望している。小売業者は、パッケージ内の製品自体がアラームタグへリンクされる高レベルの保護に対するソリューションを求めている。さらに、小売業者は、使用、貼付および保管が単純である（厄介でない）、かつパッケージングの装飾的特徴に影響しないタグを選好する。
【０００９】
市場では、ラップレイジ（wrap-rage）として知られる現象の原因である所謂ブリスタパッケージ（blister packages）から脱することが求められている。実際に、米国では、このようなパッケージを開けようとして怪我をする損傷が何千件も生じている。したがって、一部の市場は、プラスチックパッケージからペーパーパッケージへの移行を望んでいる。
【００１０】
したがって、未だ、小売りにおける盗難防止の改良が求められている。
【００１１】
本開示の１つの目的は、小売りにおける盗難を防止するためのデバイスを提供することにある。
【００１２】
本開示の１つの目的は、小売りにおける盗難を防止するためのパッケージを提供することにある。
【００１３】
本開示の１つの目的は、小売りにおける盗難を防止するためのキットを提供することにある。
【００１４】
本開示の１つの目的は、小売りにおける盗難を防止するための方法を提供することにある。
【先行技術文献】
【特許文献】
【００１５】
【特許文献１】（特になし）
【発明の概要】
【００１６】
本開示の一態様によれば、盗難防止アセンブリが提供され、本盗難防止アセンブリは、物品を梱包するためのパッケージ上に形成されるベース（base）と、ベースへ取り付けられるアラーム・シグナリング・デバイス（alarm-signaling device）とを備え、このデバイスは、デバイスと物品との間の無認可距離（unauthorized distance）を検出するため、物品と効率的に通信するために、物品と相互に作用（interface）する検出器を備え、無認可距離が検出されると、デバイスは、盗難が行われようとしていることを示すアラームをシグナリングする。
【００１７】
本アセンブリの一実施形態において、ベースは、内部で物品を曝露するための開口を含み、これにより、検出器と物品との間に効率的な通信（operative communication）が提供される。本アセンブリの一実施形態において、物品および検出器は、ベースによって画定される接合部で相互に作用し、ベースは、接合部に窓を含む。本アセンブリの一実施形態において、窓は、光を通過させるための半透明材料を備える。本アセンブリの一実施形態において、パッケージ上に形成されるベースは、パッケージの外面エリアを備える。本アセンブリの一実施形態において、パッケージ上に形成されるベースは、中へアラーム・シグナリング・デバイスを入れ子状に重ね入れるための窪んだパッケージ部分を備える。本アセンブリの一実施形態において、パッケージ上に形成されるベースは、パッケージへ取り付けられる追加エレメントを備える。本アセンブリの一実施形態において、パッケージ上に形成されるベースは、パッケージから突き出す、アラーム・シグナリング・デバイスを受け入れるためのエレメントを備える。
【００１８】
本アセンブリの一実施形態において、検出器は、開口を介して物品に係合する可動ピン部材を備える。本アセンブリの一実施形態において、検出器は、開口を介して物品に係合する可動ワイヤ部材を備える。本アセンブリの一実施形態において、検出器は、光捕捉エレメント（light capturing element）を備える。本アセンブリの一実施形態において、アラーム・シグナリング・デバイス、物品およびパッケージは、アラーム・シグナリング・デバイスと物品との間に認可された距離が存在する場合に、光捕捉エレメントによる外光の捕捉を阻止することに備える。本アセンブリの一実施形態において、光捕捉エレメントは、アラーム・シグナリング・デバイスと物品との間に無認可の距離が存在する場合に、光を捕捉する。本アセンブリの一実施形態において、光捕捉エレメントは、デバイスと物品との間の光の状態の改質を検出するように構成される。本アセンブリの一実施形態において、検出器は、デバイスと物品との間の距離を決定するための赤外線エミッタ／検出器を備える。本アセンブリの一実施形態において、検出器は、動き検出器を備える。本アセンブリの一実施形態において、検出器は、画像捕捉デバイスを備える。
【００１９】
本開示の一態様によれば、盗難防止キットが提供され、本盗難防止キットは、内部に物品を梱包するための、ベースを画定する外面を備えるパッケージと、ベースへ取り付けられるアラーム・シグナリング・デバイスとを備え、このデバイスは、デバイスと物品との間の無認可距離を検出するため、物品と相互に作用し、物品と効率的に通信するための検出器を備え、無認可距離が検出されると、デバイスは、盗難が行われようとしていることを示すアラームをシグナリングする。
【００２０】
本キットの一実施形態において、ベースは、内部で物品を曝露するための開口を含み、これにより、検出器と物品との間に効率的な通信が提供される。本キットの一実施形態において、物品および検出器は、ベースによって画定される接合部で相互に作用し、ベースは、接合部に窓を含む。本キットの一実施形態において、窓は、光を通過させるための半透明材料を備える。本キットの一実施形態において、パッケージ上に形成されるベースは、パッケージの外面エリアを備える。本キットの一実施形態において、パッケージ上に形成されるベースは、中へアラーム・シグナリング・デバイスを入れ子状に重ね入れるための窪んだパッケージ部分を備える。本キットの一実施形態において、パッケージ上に形成されるベースは、パッケージへ取り付けられる追加エレメントを備える。本キットの一実施形態において、パッケージ上に形成されるベースは、パッケージから突き出す、アラーム・シグナリング・デバイスを受け入れるためのエレメントを備える。
【００２１】
本キットの一実施形態において、検出器は、開口を介して物品に係合する可動ピン部材を備える。本キットの一実施形態において、検出器は、開口を介して物品に係合する可動ワイヤ部材を備える。本キットの一実施形態において、検出器は、光捕捉エレメントを備える。本キットの一実施形態において、アラーム・シグナリング・デバイス、物品およびパッケージは、アラーム・シグナリング・デバイスと物品との間に認可された距離が存在する場合に、光捕捉エレメントによる外光の捕捉を阻止することに備える。本キットの一実施形態において、光捕捉エレメントは、アラーム・シグナリング・デバイスと物品との間に無認可の距離が存在する場合に、光を捕捉する。本キットの一実施形態において、光捕捉エレメントは、デバイスと物品との間の光の状態の改質を検出するように構成される。本キットの一実施形態において、検出器は、デバイスと物品との間の距離を決定するための赤外線エミッタ／検出器を備える。本キットの一実施形態において、検出器は、動き検出器を備える。本キットの一実施形態において、検出器は、画像捕捉デバイスを備える。
【００２２】
本開示の一態様によれば、内部に物品を梱包するためのパッケージが提供され、本パッケージは、パッケージの外面上に形成される、アラーム・シグナリング・デバイスを受入れかつデバイス外壁と結合するための内壁を備えるためのベース構造体と、ベースのフロア内に形成される、パッケージ内部で物品を曝露しかつデバイスと物品とを直に係合させるための開口とを備え、デバイスが物品から無認可で離脱すると、デバイスは、盗難が行われようとしていることを示すアラームをシグナリングする。
【００２３】
本パッケージの一実施形態において、パッケージ上に形成されるベースは、中へアラーム・シグナリング・デバイスを入れ子状に重ね入れるための窪んだパッケージ部分を備える。本パッケージの一実施形態において、パッケージ上に形成されるベースは、パッケージへ取り付けられる追加エレメントを備える。本パッケージの一実施形態において、パッケージ上に形成されるベースは、パッケージから突き出す、アラーム・シグナリング・デバイスを受け入れるためのエレメントを備える。
【００２４】
本パッケージの一実施形態において、デバイスは、開口を介して物品に係合する可動ピン部材を備える。本パッケージの一実施形態において、デバイスは、物品に係合する光捕捉エレメントを備える。本パッケージの一実施形態において、アラーム・シグナリング・デバイス、物品およびパッケージは、アラーム・シグナリング・デバイスと物品との間に係合が存在する場合に、光捕捉エレメントによる外光の捕捉を阻止することに備える。本パッケージの一実施形態において、光捕捉エレメントは、アラーム・シグナリング・デバイスと物品との間に無認可の離脱が存在する場合に、光を捕捉する。本パッケージの一実施形態において、光捕捉エレメントは、デバイスと物品との間の光の状態の改質を検出するように構成される。本パッケージの一実施形態において、検出器は、デバイスと物品との間の距離を決定するための赤外線エミッタ／検出器を備える。本パッケージの一実施形態において、検出器は、動き検出器を備える。本パッケージの一実施形態において、検出器は、画像捕捉デバイスを備える。
【００２５】
本開示の一態様によれば、内部に物品を梱包するためのパッケージが提供され、本パッケージは、パッケージの外面上に形成される、アラーム・シグナリング・デバイスを受入れかつデバイス外壁と結合するための内壁を備えるためのベース構造体と、ベースのフロア内に形成される、パッケージ内部の物品とベースへ取り付けられた際のデバイスとの距離が無認可である場合に光を通過させる窓とを備える。
【００２６】
本パッケージの一実施形態において、窓は、光を通過させるための半透明材料を備える。
【００２７】
本パッケージの一実施形態において、パッケージ上に形成されるベースは、中へアラーム・シグナリング・デバイスを入れ子状に重ね入れるための窪んだパッケージ部分を備える。本パッケージの一実施形態において、パッケージ上に形成されるベースは、パッケージへ取り付けられる追加エレメントを備える。本パッケージの一実施形態において、パッケージ上に形成されるベースは、パッケージから突き出す、アラーム・シグナリング・デバイスを受け入れるためのエレメントを備える。
【００２８】
本パッケージの一実施形態において、デバイスは、光捕捉エレメントを備える。本パッケージの一実施形態において、アラーム・シグナリング・デバイス、物品およびパッケージは、アラーム・シグナリング・デバイスと物品との間に認可された距離が存在する場合に、光捕捉エレメントによる外光の捕捉を阻止することに備える。本パッケージの一実施形態において、光捕捉エレメントは、アラーム・シグナリング・デバイスと物品との間に無認可の距離が存在する場合に、光を捕捉する。本パッケージの一実施形態において、光捕捉エレメントは、デバイスと物品との間の光の状態の改質を検出するように構成される。本パッケージの一実施形態において、検出器は、デバイスと物品との間の距離を決定するための赤外線エミッタ／検出器を備える。本パッケージの一実施形態において、検出器は、動き検出器を備える。本パッケージの一実施形態において、検出器は、画像捕捉デバイスを備える。本パッケージの一実施形態において、パッケージは、予め形成されたパッケージング材料を備える。
【００２９】
本パッケージの一実施形態において、予め形成されるパッケージング材料は、不透明である。
【００３０】
本開示の一態様によれば、物品を梱包する方法が提供され、本方法は、中に物品を梱包するための材料を提供することと、前記材料上に、中の物品が見えるようにするための半透明部分を設けることと、前記材料の残りの部分を曇らせて、外光の通過を阻止することと、前記材料の残りの曇った部分に、外光を通過させるためのエリアを設けることと、前記エリアにアラーム・シグナリング・デバイスを取り付けて、外光の通過を阻止することと、を含み、アラーム・シグナリング・デバイスは、物品、アラーム・シグナリング・デバイスと相互に作用（interface）する光捕捉エレメントを備え、物品および曇らされたパッケージ材料は、アラーム・シグナリング・デバイスと物品との間に認可された距離が存在する場合に、光捕捉エレメントによる外光の捕捉を阻止することに備え、光捕捉エレメントは、アラーム・シグナリング・デバイスと物品との間に無認可の距離が存在する場合に、光を捕捉する。
【００３１】
本方法の一実施形態において、前記エリアは、窓を備える。本方法の一実施形態において、窓は、半透明材料を備える。本方法の一実施形態において、前記エリアは、開口を備える。
【００３２】
本開示の一態様によれば、物品を梱包する方法が提供され、本方法は、中に物品を梱包するための材料を提供することと、材料の外面上にベース構造体を形成することであって、前記ベース構造体は、アラーム・シグナリング・デバイスを受け入れるためのものであり、デバイスの外壁と結合するための内壁を備えることと、前記ベースのフロア内に、パッケージ内で物品を曝露しかつ物品と係合するデバイスを提供するための開口を設けることと、を含む。
【００３３】
本開示の一態様によれば、物品を梱包する方法が提供され、本方法は、中に物品を梱包するための材料を提供することと、材料の外面上にベース構造体を形成することであって、前記ベース構造体は、アラーム・シグナリング・デバイスを受け入れるためのものであり、デバイスの外壁と結合するための内壁を備えることと、前記ベースのフロア内に、パッケージ内部の物品とベースへ取り付けられた際のデバイスとの距離が無認可である場合に光を通過させるための窓を設けることと、を含む。
【００３４】
本開示の一態様によれば、盗難防止用キットが提供され、本盗難防止用キットは、物品を梱包するパッケージの表面に開口を形成するための切欠きエレメントと、パッケージへ取り付けられるためのアラーム・シグナリング・デバイスとを備え、デバイスは、開口を介して物品に効率的に係合するための検出器を備え、検出器は、デバイスと物品との間の無認可距離を検出するためのものであり、無認可距離が検出されると、デバイスは、盗難が行われようとしていることを示すアラームをシグナリングする。
【００３５】
本開示の一態様によれば、盗難防止用キットが提供され、本盗難防止用キットは、中で物品を曝露する開口を提供するために選択的に取り除かれるためのかすかな切れ目を有する、物品を梱包するためのパッケージと、パッケージへ取り付けられるためのアラーム・シグナリング・デバイスとを備え、デバイスは、開口を介して物品に効率的に係合するための検出器を備え、検出器は、デバイスと物品との間の無認可距離を検出するためのものであり、無認可距離が検出されると、デバイスは、盗難が行われようとしていることを示すアラームをシグナリングする。
【００３６】
本開示の一態様によれば、盗難防止用キットが提供され、本盗難防止用キットは、中に物品を有するパッケージ上へ取り付けられるための、かつソケットを備えるデバイスと、ソケット内に位置合わせされかつパッケージの回りに縛られるための少なくとも１つのストラップとを備える。
【００３７】
ある実施形態において、キットは、さらに、デバイスを受け入れるためのベースを有するパッケージを備える。ある実施形態において、キットは、さらに、デバイスを受け入れるための空隙を有するパッケージを備える。
【００３８】
限定なしに、「パッケージ」または「パッケージング」という用語は、何であれ、その広義な定義において、アイテムを収容、封入または別段でその中に、またはそれへ取り付けるための、当該技術分野で既知の、あらゆるタイプの材料で製造されるあらゆる形状タイプのボックス、または他のあらゆるタイプの完全または部分的な筐体（enclosure）も含む。
【００３９】
限定なしに、「物品」という用語は、本明細書に開示される特定のデバイスまたはデバイスアセンブリの使用に依存する販売用アイテムも含む。
【００４０】
本開示の他の目的、優位点および特徴は、添付の図面を参照して単に例示として行う以下のその例示的実施形態の非限定的な説明を読めば、さらに明らかとなるであろう。
【図面の簡単な説明】
【００４１】
【図１】図１は、本開示の非限定的な実施形態例による、未組立の位置にある盗難防止デバイスと物品を入れるためのパッケージとを示す斜視図である。
【図２Ａ】図２Ａは、本開示の別の非限定的な実施形態例による、未組立の位置にある盗難防止デバイスと物品を入れるためのパッケージとを示す斜視図である。
【図２Ｂ】図２Ｂは、本開示のさらなる非限定的な実施形態例による、未組立の位置にある盗難防止デバイスと物品を入れるためのパッケージとを示す斜視図である。
【図３Ａ】図３Ａは、本開示の非限定的な実施形態例による、組み立てられた位置にある盗難防止デバイスと物品を入れるためのパッケージとを示す斜視図である。
【図３Ｂ】図３Ｂは、本開示の別の非限定的な実施形態例による、組み立てられた位置にある盗難防止デバイスと物品を入れるためのパッケージとを示す斜視図である。
【図３Ｃ】図３Ｃは、図３Ｂの線３Ｃ−３Ｃに沿った盗難防止デバイスの断面図である。
【図４Ａ】図４Ａは、本開示の非限定的な実施形態例によるパッケージへ取り付けられた、本開示の非限定的な実施形態例による盗難防止デバイスの横断面図である。
【図４Ｂ】図４Ｂは、図４Ａのパッケージから外されている図４Ａの盗難防止デバイスの横断面図である。
【図４Ｃ】図４Ｃは、本開示の非限定的な実施形態例によるパッケージへ取り付けられた、本開示の非限定的な実施形態例による盗難防止デバイスの横断面図である。
【図４Ｄ】図４Ｄは、図４Ｃのパッケージから外されている図４Ｃの盗難防止デバイスの横断面図である。
【図５】図５は、本開示の別の非限定的な実施形態例による、未組立の位置にある別の盗難防止デバイスと物品を入れるためのパッケージとを示す斜視図である。
【図６】図６は、本開示のさらなる非限定的な実施形態例による、組み立てられた位置にあるさらなる盗難防止デバイスと物品を入れるためのパッケージとを示す斜視図である。
【図７Ａ】図７Ａは、パッケージへ取り付けられた図５の盗難防止デバイスの横断面図である。
【図７Ｂ】図７Ｂは、パッケージから外されている図５の盗難防止デバイスの横断面図である。
【図８】図８は、本開示のさらなる非限定的な実施形態例による、組み立てられた位置にあるさらに別の盗難防止デバイスと物品を入れるためのパッケージとを示す斜視図である。
【図９】図９は、本開示の非限定的な実施形態例による盗難防止デバイスを示す斜視図である。
【図１０Ａ】図１０Ａは、本開示の別の非限定的な実施形態例による盗難防止デバイスを示す斜視図である。
【図１０Ｂ】図１０Ｂは、本開示の非限定的な実施形態例による、図１のデバイスのベースを示す斜視上面図である。
【図１０Ｃ】図１０Ｃは、本開示の非限定的な実施形態例による、図１０Ｂのベースとパッケージとの間の接着材を示す平面図である。
【図１１】図１１は、本開示のさらなる非限定的な実施形態例による盗難防止デバイスを示す斜視図である。
【図１２Ａ】図１２Ａは、本開示の非限定的な実施形態例による、盗難防止デバイスと組み合わせて使用されるパッケージを示す斜視図である。
【図１２Ｂ】図１２Ｂは、本開示の非限定的な実施形態例による、図１２Ｂのパッケージへ取り付けられた盗難防止デバイスを示す斜視図である。
【図１３】図１３は、本開示の非限定的な実施形態例による盗難防止デバイスを示す正面図である。
【図１４】図１４は、本開示の別の非限定的な実施形態例による盗難防止デバイスを示す正面図である。
【発明を実施するための形態】
【００４２】
概して、かつある実施形態によれば、ベースと、アラーム・シグナリング・デバイスとを備える盗難防止アセンブリが提供されている。ベースは、物品を梱包するためのパッケージ上に形成される。アラーム・シグナリング・デバイスは、ベースへ取り付けられる。本デバイスは、物品と相互に作用し（interface）、物品と効率的に通信するための検出器を備える。検出器は、デバイスと物品との間の無認可距離を検出するためのものである。無認可の距離が検出されると、デバイスは、盗難が行われようとしていることを示すアラームをシグナリングする。他の実施形態は、パッケージへ縛りつけられるストラップを受け入れるためのソケットを有するデバイスを含む。
【００４３】
以下、添付の図面を参照して、本開示を、単にさらなる例示として、かつ如何なる場合も開示範囲を限定することなく、本明細書で非限定的な実施形態例を説明する。
【００４４】
図１および図３は、デバイス１０と、中に物品１４（図４Ａおよび図４Ｂ参照）を梱包するためのパッケージ１２とを示している。
【００４５】
デバイス１０は、当該技術分野で知られるように、内部にセキュリティタグまたは別のＥＡＳまたはＲＦＩＤデバイスを含むコントローラを収容する。したがって、デバイス１０が勘定場の店員によって非活性化され、かつ／または、それが位置合わせされているパッケージから外されなければ、または別段で非活性化されなければ、かつ／または正当な販売が行われずに人が店を出れば、店の出口で検出システムがタグを検出してアラームおよび／または信号を鳴らす。デバイス１０は、例えば、ＰＣＴ／ＣＡ２０１２／０００５０９において論じられている様々なデバイスを備えることが可能であり、前記ＰＣＴ／ＣＡ２０１２／０００５０９は、本参照によりその全体が本明細書に組み込まれる。
【００４６】
デバイス１０は、上面１６と底面１８とを有しかつこれらの間に中央輪郭壁１９を含む本体を含む。底面１８は、本明細書で後述するように、物品１４と接合（interface）する。したがって、底面１８は、デバイス１０と物品１４との間の無認可距離を検出するための検出器２０を含む。
【００４７】
本例において、検出器２０は、プランジャ２２を備える。
【００４８】
図２Ａが示す別の実施形態において、デバイス１０’は、デバイス１０に類似するが、検出器２０’は光捕捉パネルを備えることが異なる。本明細書に記述している光捕捉エレメントは、パッケージより「外側」の可視光および非可視光（赤外線、他）の双方の捕捉に備えることができる。「外側」という言い回しは、パッケージまたはデバイス自体によって生成されない光、したがって、本明細書に記述しているパッケージおよびデバイスのアセンブリとは無関係であって、デバイスとパッケージとの間の無認可距離を示す光を定義している。
【００４９】
パッケージ１２は、予め形成された一体式ベース構造体２６を画定するパッケージング材料３４を含む。ベース２６は、中にデバイス１０を受け入れる、または入れ子状に重ね入れるためのリセス（recess）または空隙２８を画定する。空隙２８は、内壁面３２を画定する境界壁３０によって境界をつけられる。内壁面３２は、デバイス１０の中央輪郭壁１９上に形成される類似の嵌め合いエレメントと互いに係合するための嵌め合いエレメントを含む。したがって、デバイス１０は、ベース２６内へスナップ嵌めされる。ベース２６は、物品１４と検出器２０とが相互に作用する接合部３６を画定するフロア３４を含む。
【００５０】
図１に示される一実施形態において、接合部３６は、フロア３４内に形成される、パッケージ１２内の物品１４の一部分を曝露する開口を備え、よって、検出器２０は、この曝露された部分と係合することにより、曝露された部分と効率的に通信する。一例において、この係合は、プランジャ２２によって提供される。
【００５１】
図２Ａに示されている別の実施形態において、接合部３６は、フロア３４内に形成されかつ光を通過させる材料（例えば、半透明材料）で製造される窓を備える。検出器２０’と物品１４との間の効率的な通信は、光が窓を通過して、この非限定的な例では光パネルであるように示されている検出器２０’へ届くことを阻止する、両者を隔てる前述の相互インターフェース（mutual interface）によって提供される。物品１４と検出器との間に無認可の距離が生じると、光は、窓３６を通過してパネル２０へ届く。したがって、この光は、電子ソーラーパネル２０’によって捕捉され、次に電子ソーラーパネル２０’によって発せられるエネルギーが、アラームまたは信号を鳴らすようにプログラムされたコントローラを含むデバイス１０’の内部電子機器によって処理される。さらに、ソーラーパネルは、デバイス１０がベースまたは空隙から持ち上げられれば光を捕捉し、かつ結果的に、アラームまたは信号をトリガ（trigger）する。当然ながら、接合部３６は、材料を全く含まず、図１のように開口であってもよい。
【００５２】
図３Ａは、パッケージ１２へ取り付けられたデバイス１０または１０’を示す。
【００５３】
図２Ｂは、リセスまたは空隙２８のないパッケージ１２’を示し、接合部３６は、パッケージ１２の外面３７と同じ平面に沿って形成される単なる開口または穴であり、開口または穴３６に隣接する外面は、パッケージ上に形成される、デバイス１０’を受け入れるためのベースを画定する。
【００５４】
図４Ａおよび図４Ｂを参照すると、パッケージ１２上に形成されるベース２６へデバイス１０が取り付けられると、その底面１８は、ベースフロア３４上へ位置合わせされ、これにより、検出器２０は、開口３６を介して物品１４に係合するようにされる。図示されているように、図４Ａにおいて、検出器２０が物品１４に係合し、かつデバイス１０が起動されるとき、デバイスは、非シグナリング位置にある。図４Ｂに示されているように、デバイス１０と物品１４との間に無認可の距離が生じるとき、デバイス１０は、アラームシグナリング位置にある。この場合、検出器２０は、例示されているプランジャ２２の形式で設けられている。したがって、非シグナリング位置におけるプランジャ２２は、底面１８が物品１４の表面に係合してデバイス１０の本体へと押し入れられる。プランジャ２２は、当該技術分野で知られるように外側へと偏向されていて、物品１４と底面１８との間の動きにより、プランジャ２２が外向きに移動するスペースが生じる。アラームは、パッケージが認可された扱いをされる間の誤ったアラームを回避するように、プランジャ２２の予め決められた外側への動きでシグナリングされる。
【００５５】
図４Ｃおよび図４Ｄは、リセス２８なしのパッケージ１２’へ取り付けられたプランジャ２２付きのデバイス１０を示し、よって、ベースは、開口または穴３６を取り巻くパッケージ１２の外面３７によって形成される。したがって、デバイス１０は、パッケージ１２’の外面３７へ直に取り付けられ、図４Ａおよび図４Ｂに関して先に述べたように機能する。
【００５６】
本開示によるデバイスは、起動前または起動後にプレアラーム状態を知らせるために使用されるべき警告ビープ音を装備することができる。また、コントローラも、場合により、適用中の誤ったアラームを減らすために、アラーム遅延を装備してもよい。
【００５７】
図２Ａおよび図２Ｂに例示されているような（光捕捉パネルである検出器２０’を有する）デバイス１０’がパッケージ１２のベース２６へ、またはパッケージ１２’の穴３６を取り巻く輪郭面３７（ベースとして作用する）へ取り付けられると、物品１４、ベース底側１８およびパッケージ１２または１２’は、パネル２０’を覆って光を遮る。デバイス１０’と物品１４との間に無認可の距離が生じると、パネル２０’が光に曝露され、アラームがシグナリングされる。
【００５８】
図３Ｂおよび図３Ｃを参照すると、プラスチック等の予め形成された材料（例えば、ブリスタパック）から製造された別のパッケージ１２’’が示されている。この材料は、概して半透明であり、よって、材料の大部分は、曇っている。したがって、パッケージ１２’’は、曇った部分１２Ｏと、そこから物品１４が見えるようにする半透明部分１２Ｔとを提供する。パッケージ１２’’は、デバイス１０または１０’がパッケージ１２’’へ取り付けられて窓または開口３７を取り巻くその外面３７’’（即ち、ベース）上に座すときに、検出器２０または２０’が、デバイス１０または１０’の底面１８で、物品１４と窓または開口３６を介して相互に作用し（interface）、かつ効率的に通信できるようにする窓（光を通過させる材料製）または開口（穴等）３６を含む。
【００５９】
図５を参照すると、デバイス１０と、円板５２の形の切欠きエレメントとを備えるキット５０が示されている。円板５２は、中央の穴５４を備え、これにより、ユーザは、穴５４の限界を画する円板５２の内縁６０沿いにカットすることで、パッケージ５８の表面５６に類似の穴を切り開けることができる。したがって、デバイス１０は、例えば接着剤によってパッケージ上へ取り付けられることが可能であり、かつ検出器２０は、先に述べたようにしてパッケージ５８内の物品に係合することができる。別の実施形態では、円板５２がベースとして作用してパッケージ５８へ取り付けられることが可能であり、よってデバイスは、円板ベース５２上へ直に取り付けられることが可能である。
【００６０】
さらに別の実施形態において、パッケージ５８は、窓を介して物品を曝露させるべく取り除かれることが可能な、かつ先に述べたようにパッケージ５８上へデバイスを物品に直に係合するように取り付けるようにする、予め形成された切れ目又は微かな線６２を付されてもよい。
【００６１】
したがって、本開示は、キットのためのパッケージを提供し、キットは、パッケージへ取り付けられるべきデバイスを含む。パッケージは、セロハン（cellophane）等の様々な材料で製造されることが可能であって、内部で物品を曝露しかつ物品と効率的に通信して配置されるデバイスのベース空隙を提供するようにパッケージ部分を取り除かせるための微かな線を有する、予め形成された、または特別注文の切欠き部位を含むことができる。
【００６２】
図６、図７Ａおよび図７Ｂは、中に物品６４を保持するためのパッケージ６２へ取り付けられたデバイス６０を示す。パッケージ６２は、デバイス６０を受け入れるためのベース６６を含む。ベース６６は、デバイス６０の検出器７０と物品６４とが相互の効率的な通信のために相互に作用（interface）する接合部６８を画定する。デバイス６０は、ストラップ７２を介してもパッケージ６２へ取り付けられる。
【００６３】
したがって、デバイス６０は、ストラップ７２の第１の部分７２ａを受け入れるために、間に通路（不図示）を有する、反対（向かい）側のソケット７４を含む。ストラップ７２は、パッケージ６２の回りに巻き付けられ、第２のストラップ部分７２ｂは、場合によりストラップ７２をぴったりと受け入れるための長手方向リセス７８を画定するデバイスの上面７６上に位置合わせされる。２つのストラップ部分７２ａおよび７２ｂは、互いに結びつけられる。一実施形態において、この結束は、接着剤によって行われる。別の実施形態において、結束は、ループフック・システム（loop and hook system）によって提供される。ストラップ部分を互いに結合させる代替例は、本開示の範囲内で様々に企図されることが可能である。
【００６４】
図８は、ベース８２と、中に物品を保持するためのパッケージ６２へ取り付けられるベース８２上へスナップ嵌めされた追加的な上部片８４とを備える、デバイス８０を示す。パッケージ６２は、ベース８２を受け入れるためのベース空隙６６を含む。上部片８４は、ストラップ部分７２ａを受け入れるための横ソケット８６と、ストラップ部分７２ｂを受け入れるためのリセス９０を有する上面８８とを含む。
【００６５】
図９は、主要ユニット１０２と、ばね１０８等の付勢要素（biasing element）を伴う下側１０６を有するベース１０４とを備える、デバイス１００を示す。付勢ベース（biased base）１０４は、ストラップが緩められると、アラームを迅速にトリガ（trigger）できるようにする。また、ベース１０４は、検出器（プランジャ）の下に平らな物体を滑り込ませてアラームとの係合およびアラームの起動を妨げようとする泥棒も阻止する。
【００６６】
図１０Ａは、主要ユニット２０２とベース２０４とを備えるデバイス２００を示し、ベース２０４は、検出器（例えば、プランジャ）の下に平らな物体を滑り込ませてアラームとの係合およびアラームの起動を妨げようとする泥棒を阻止するカラー構造体（collar structure）２０８を伴う下側２０６を有する。図１０Ａに示されているように、ベース２０４が、場合により、ＥＡＳ、ＲＦＩＤチップ２０９、および類似エレメントを含んでもよいことは留意されるべきである。
【００６７】
図１０Ｂは、「取り外し禁止」タグをその内面２０５（主要ユニット２０２が載る表面）に有するベースを示す。購入したパッケージを返品するために、顧客は、ベース２０４をパッケージから取り外さないようにと助言される可能性があり、よって、泥棒がベース２０４を取り外す、またはベース２０４が取り付けられたパッケージ部分を引き裂く、または別段で切り離すことにより首尾よく盗んだ盗難パッケージを（偽の弁済を要求するために）偽って返品することはさらに困難になる。
【００６８】
図１０Ｃは、様々なアラーム・シグナリング・デバイスをパッケージ１２Ｐへ接着するためにパッケージ１２Ｐへ取り付けられた接着材２５０を示す。接着材２５０は、インジケータ２５２（例えば、タグ、カラー、メッセージ、チップ、記号、他）を含む。パッケージ１２Ｐ上のインジケータ２５２の存在は、その不在が、インジケータ２５２を包含していたはずのパッケージ部分がそこに取り付けられたアラーム・シグナリング・デバイスを取り外すために改竄されていることを示唆するという理由で、小売業者による、返品パッケージが合法的に購入されたものか盗まれたものか識別できるようにする。
【００６９】
本明細書に記述されている様々なタグおよびチップが、所定の物品、そのパッケージおよび／またはそのアラーム・シグナリング・デバイス間のコード対応を引き起こすためにパッケージ、ならびに物品およびデバイスへ取り付けられ得ることは、留意されるべきである。
【００７０】
図１１は、主要ユニット３０２と、爪構造体３０８を伴う下側３０６を有するベース３０４とを備える、デバイス３００を示す。ベース３０４は、段ボール箱などに便利であって、検出器（例えば、プランジャ）の下に平らな物体を滑り込ませてアラームとの係合およびアラームの起動を妨げようとする泥棒も阻止する。
【００７１】
図１２Ａおよび図１２Ｂは、ストラップ４０６（第２のストラップ４０６’または追加ストラップも使用され得る）によってパッケージ４０４上へ縛りつけられる盗難防止デバイス４０２を備える、キット４００を示す。パッケージ４０４は、デバイス４０２の上面４０８がパッケージ外面とほぼ同一平面になるに足る深さである、デバイス４０２の受入れ空隙を含む。前述の構造は、上側の各パッケージが空隙内にデバイス４０２が入った表面４１０上に載る状態で、パッケージ４０４を縦に積み重ねられるようにする。
【００７２】
図６、図８、図１２Ａおよび図１２Ｂに示されているデバイスおよびストラップアセンブリは、予め形成されたベース、空隙、穴、窓などを有するパッケージを用いない場合でも、パッケージの平坦な外面上に取り付けられることが可能である。
【００７３】
図１３は、本体５０２と、本体の上縁５０８と結合するための下歯５０６を含む上部補助体５０４とを含む、デバイス５００を示す。上部補助体は、ストラップのためのソケット５１０を含む。図１４は、デバイス５００に類似するが、補助体５０５はストラップソケットを含まないことが異なるデバイス５０１を示す。
【００７４】
本開示によるデバイスには、小売りにおいて多様に使用されることが可能なＲＦＩＤタグまたはＥＡＳ回路が含まれる可能性がある。
【００７５】
さらに、ストラップバージョンでのストラップ使用の有無に関わらずベースまたは主要ユニットまたは空隙へパチンと嵌まるトップ・モジュラ・ピースは、ＲＦＩＤ回路またはＥＡＳ回路（一般に、ＡＭまたはＲＦタグと称される）を含むことができるだけではない。これにより、別のタグへ嵌め込むオプションが生じ、よって、本デバイスのモジュラ（modular）実施形態が提供される。
【００７６】
以下、図示されていない、非限定的なさらなる実施形態について述べる。
【００７７】
本明細書に記述されているプランジャは、様々な既知のプランジャタイプを含むことが可能であり、その追加的な一例が、アイテムまたは物品と直に通信する伸張可能なタッチプランジャである。ある実施形態では、スイッチに、パッケージ内部の物品に接触するように互いに嵌り合ってスイッチを延長させるカプセル等の小片を追加することにより、プランジャの長さを修正するための伸張可能なスイッチが提供されている。
【００７８】
より小さいアイテムの場合、アイテムおよび、デバイスと物品との間の無認可距離を検出する検出器（例えば、センサ）へタイラップ（tie-wrap）または類似エレメントが取り付けられ、これにより、アラームがシグナリングされる。
【００７９】
別の実施形態において、検出器は、検出器から伸び、開口を介して物品へ取り付けられるワイヤを備える。検出器は、デバイスと物品との間の無認可距離を示唆するワイヤ上のあらゆる引きまたは張力を検知するセンサを含む。
【００８０】
ある実施形態において、本明細書におけるデバイスの検出器は、窓または開口を介して物品とデバイスとの間の認可された距離および無認可距離を検出する赤外線（ＩＲ）エミッタ／検出器を備える。
【００８１】
別の実施形態において、検出器は、窓または開口を介して物品とデバイスとの間の認可された距離および無認可距離を検出する動き検出器を備える。
【００８２】
別の実施形態において、検出器は、窓または開口を介して物品とデバイスとの間の認可された距離および無認可距離を検出するカメラ等の画像捕捉デバイスを備える。
【００８３】
別の実施形態において、検出器は、相互に作用するデバイスと物品との間の光の状態を捕捉し、例えば、最初の認可された状態は、物品と相互に作用する、物品からの既定の認可された距離におけるデバイスの初期位置を示す。したがって、検出器は、前述の既定の認可された距離が変化したことを示す変更された光の状態を捕捉し、よって、検出器は、デバイスと物品との間の無認可距離を検出し、ひいては、アラームをシグナリングする。
【００８４】
本明細書で論じる目的に沿った検出器は、当業者により、本開示の範囲内で様々なタイプを企図することができる。
【００８５】
当然ながら、本明細書に記述されている各事例では、かつ先に述べたように、デバイスおよび／またはパッケージの継続的な無認可の取扱いを阻止するために、警告信号（ビープ音等）が所定の距離しきい値においてシグナリングされる。
【００８６】
デバイスの主要ユニットまたは本体へねじ込むために、限定ではなくねじ付きの壁ベース等の（本明細書で論じているようなデバイスの主要ユニットを受け入れるための）様々な分離式本体ベースを使用可能であることは、留意されるべきである。別の非限定的な実施形態において、分離式本体ベースは、デバイスの外周壁を画定するデバイスの主要ユニットまたは本体を受け入れるための周壁を有する平坦な輪郭バージョン（flat profile version）を備える。これらの分離式本体ベースは、取り外しが可能であり、よって、これらは、低接着性の接着剤を用いてパッケージへ取り付けられることが可能である。当然ながら、本開示はまた、追加的な本体ベースを用いず、単に、単一デバイスを、デバイスを入れ子状に重ね入れるためのベースリセス内であれ、（ある非限定的な例では、平坦な外面を備える）ベースとして作用しかつ物品とデバイスとのインターフェース（interface）を提供するための窓または開口を取り巻く輪郭表面上であれ、ベースとして作用するパッケージ上へ取り付けられるようにする。前述の事例の何れにおいても、デバイスとパッケージとの間に接着剤も使用されることが可能である。
【００８７】
本明細書におけるデバイスは、概して円形形状で示されているが、本開示の範囲において、長方形、三角形、台形、管状の構造体などを限定なしに含む他のあらゆる適切な、または望ましい形状も提供され得ることは、理解されるべきである。
【００８８】
本明細書に示されているパッケージの形状およびサイズは、単に例示を目的とするものである。ある実施形態において、パッケージは、後に接着性ベース（adhesive base）を受け入れるように指示される可能性もある穴または窓を有することもある。パッケージ内に形成されるベース空隙は、積重ねを容易にすることから効果的である。
【００８９】
本明細書に記述されている様々な特徴は、さらに他の実施形態を提供するために、本開示の文脈の範囲内で様々に組み合わされることが可能である。したがって、実施形態は、互いに排他的ではない。さらに、本明細書において論じている実施形態は、例示されかつ／または記述されている全ての特徴およびエレメントを包含する必要はなく、よって、特徴の部分的な組合せも企図されることが可能である。さらに、記述されているものより少ない特徴を有する実施形態も、企図されることが可能である。本開示が、その適用において、添付の図面に示されかつこれまでに記述された構造および部品の詳細に限定されないことは、理解されるべきである。本開示は、他の実施形態においても可能であり、かつ様々に実施されることが可能である。また、本明細書で使用している表現法または用語法は、説明を目的とするものであって、限定のためではないことも、理解されるべきである。
【００９０】
故に、これまで、本開示をその非限定的な実施形態例によって記述してきたが、本開示は、本開示の、および添付のクレームの範囲、精神および本質を逸脱することなく変更されることが可能である。
【図１】
2016511896.tif 000003
【図２Ａ】
2016511896.tif 000004
【図２Ｂ】
2016511896.tif 000005
【図３Ａ】
2016511896.tif 000006
【図３Ｂ】
2016511896.tif 000007
【図３Ｃ】
2016511896.tif 000008
【図４Ａ】
2016511896.tif 000009
【図４Ｂ】
2016511896.tif 000010
【図４Ｃ】
2016511896.tif 000011
【図４Ｄ】
2016511896.tif 000012
【図５】
2016511896.tif 000013
【図６】
2016511896.tif 000014
【図７Ａ】
2016511896.tif 000015
【図７Ｂ】
2016511896.tif 000016
【図８】
2016511896.tif 000017
【図９】
2016511896.tif 000018
【図１０Ａ】
2016511896.tif 000019
【図１０Ｂ】
2016511896.tif 000020
【図１０Ｃ】
2016511896.tif 000021
【図１１】
2016511896.tif 000022
【図１２Ａ】
2016511896.tif 000023
【図１２Ｂ】
2016511896.tif 000024
【図１３】
2016511896.tif 000025
【図１４】
2016511896.tif 000026
【国際調査報告】
2016511896.tif 000027
2016511896.tif 000028